【事件の表示】
　特願２００３−４９８８８「インタラクティブ特典提供システム」拒絶査定不服審判事件〔平成１６年９月３０日出願公開，特開２００４−２７２３０１〕について，次のとおり審決する。
【結　論】
　本件審判の請求は，成り立たない。
【理　由】
１　手続の経緯
　本願は，平成１５年２月２６日（優先権主張平成１５年１月１７日）の出願であって，平成１８年１２月１８日付けの拒絶理由通知に対して，平成１９年２月２６日付けで意見書が提出されるとともに同日付けで手続補正がなされたが，同年３月２９日付けで拒絶の査定がなされ，この拒絶の査定を不服として，同年５月７日に審判請求がなされるとともに同年６月６日付けで手続補正がなされ，当審による平成２１年５月１４日付けの審尋に対して，同年６月２２日付けで回答書が提出されたものである。
　
２　本願発明
　本願の請求項１に係る発明（以下「本願発明」という。）は，平成１９年６月６日付けの手続補正により補正された明細書及び図面の記載からみて，次のとおりのものと認める。
　「【請求項１】利用者端末装置と，時間軸に応じて変動する特典内容を含む告知データを含む番組データを前記利用者端末装置に送信する特典提供装置と，商品提供装置とがネットワークにより接続されるインタラクティブ特典提供システムにおいて：
　前記商品提供装置は，特典データ生成部と送信部とを備え，
　前記特典データ生成部は，前記告知データに対応して，利用者から参加入力される参加時間に応じて特典内容が変動するよう，参加時間と特典内容が紐付けられた特典データを生成し；
　前記送信部は前記特典データ生成部により生成された前記特典データを前記特典提供装置に送信し；
　前記利用者端末装置は，受信部と参加処理部と送信部とを備え，
　前記受信部は，前記特典提供装置から送信される特典データと，前記特典提供装置から送信される番組データとを受信し；
　前記参加処理部は，参加時間と特典内容が紐付けられた前記特典データに基づき，番組が提供されている時間内において，利用者から参加入力された参加時間に応じて，参加データを生成し；
　前記送信部は，前記参加処理部により生成された前記参加データを前記特典提供装置に送信し；
　前記特典提供装置は，受信部と結果処理部とを備え，
　前記受信部は，前記利用者端末装置から前記参加データを受信し；
　前記結果処理部は，前記参加データと特典の利用が可能な有効期間情報とを紐付けた結果データを生成することを特徴とする，
インタラクティブ特典提供システム。」
　
　なお，上記明細書の特許請求の範囲の請求項１には，「番組データを前記利用者端末に送信する」と記載しているが，前後の記載からみて，「番組データを前記利用者端末装置に送信する」の誤記と認め，上記のように認定した。
　
３　引用例
　原査定の拒絶の理由に引用された特開２００２−１６５６６号公報（以下「引用例１」という。）には，以下の記載がある。
　「【０００７】【発明が解決しようとする課題】デジタル放送では，インタラクティブ機能を持つ複合メディアファイルなどの，ストリームメディアではないデータを送出する放送番組がある。この複合メディアフィアル放送番組は，データ放送番組とも呼ばれており，複合メディアファイル単独で放送する番組と，映像番組と連動した付加情報として複合メディアファイルを送出し，視聴者に映像および複合メディアファイルを同時に提示する番組との２種類がある。」
　『【００１７】生放送の映像番組に連動する複合メディアフィアル放送番組には，放送するコンテンツはあらかじめ決定されているが，送出開始時刻は映像に連動しなくてはならないために番組配信中に決まるという番組配信形態が存在する（アンタイム送出と呼ぶ）。例えば，スポーツ中継などでホームランが出たタイミングで放送局の人間が「ホームラン特別データクイズ番組」の送出開始を指示して，その送出を開始することがアンタイム送出である。』
　
　上記【０００７】に「インタラクティブ機能を持つ複合メディアファイル」と記載されており，上記【００１７】の「ホームラン特別データクイズ番組」のクイズの解答を視聴者が放送局によせるのに，「複合メディアファイル放送番組」の受信機が，視聴者の操作にしたがって，クイズ番組のクイズの解答データを生成して，解答データを放送局に送信することは自明のことである。
　
　したがって，上記記載から，引用例１には，
　「放送局と受信機とからなるインタラクティブなシステムにおいて，
　放送局は，映像番組とそれに連動するクイズ番組を放送し，
　受信機は，映像番組とそれに連動するクイズ番組を受信し，
　受信機は，さらに，視聴者の操作にしたがって，クイズ番組のクイズの解答データを生成して，解答データを放送局に送信し，
　放送局は，解答データを受信する
インタラクティブなシステム。」
の発明（以下「引用発明」という。）が記載されていると認められる。
　
　原査定に引用された特開２００２−２８７６３２号公報（以下「引用例２」という。）には，「【０００２】【従来の技術】インターネットにおける情報配信は，従来はサーバーからクライアントへの一方的な情報提供が主であったが，近年はホームページにおけるクイズやアンケートなど，ユーザー参加型の双方向コンテンツも広く提供されるようになってきている。」，『【０００８】「早押しクイズ」などのコンテンツにおいては，開始時刻から回答時刻までの経過時間の長短によって賞品が変わるため，参加者が欲しい品物を手に入れようとして，何らかの方法で回答時刻を実際の回答時刻より早く偽装してサーバーに報告することがある。』と記載されている。
　
　特開２００２−２７９２７４号公報（以下「周知例」という。）には，「【０１６４】（付記１）ネットワークを利用した広告配信を行うコンピュータにおける広告配信方法において，所定の商品購入時の特典を定義したクーポン情報と広告情報とを互いに対応付けて管理しており，前記ネットワークを介して接続された端末装置からの要求に応答して，前記端末装置に対して前記広告情報を送信し，前記端末装置に送信した前記広告情報に対応する前記クーポン情報を，前記端末装置に対応付けて保存し，前記端末装置から前記所定の商品の特典照会要求が行われると，前記端末装置に対応付けて保存された前記クーポン情報を参照して，前記所定の商品購入時の特典を決定し，決定した前記特典を前記端末装置に通知する，ことを特徴とする広告配信方法。」，「【０１６６】（付記４）前記クーポン情報には，前記所定の商品購入時の割引率が設定されていることを特徴とする付記２記載の広告配信方法。（付記５）前記クーポン情報には，有効期限が設定されており，有効期限内においてのみ利用可能であることを特徴とする付記１記載の広告配信方法。」と記載されている。
　
４　対比
　本願発明と引用発明とを対比すると，
（イ）引用発明の「受信機」は，番組を受信する機能の他に，視聴者の操作にしたがって，クイズ番組のクイズの解答データを生成する機能と，解答データを放送局に送信する機能を有することからみて，本願発明の「利用者端末装置」と「利用者端末装置」として共通し，
（ロ）引用発明の「放送局」は，本願発明の「特典提供装置」と「番組データ送信装置」として共通し，
（ハ）引用発明の「映像番組とそれに連動するクイズ番組」は，本願発明の「時間軸に応じて変動する特典内容を含む告知データを含む番組データ」と「番組データ」として共通し，
（ニ）引用発明において，「受信機」は「放送局」が放送する番組を受信して解答データを「放送局」に送信するのであるから，「受信機」と「放送局」とは「通信路」により接続されているといえ，該「通信路」は，本願発明の「ネットワーク」と「通信路」として共通し，
（ホ）引用発明の「受信機」の「番組を受信」する機能は，本願発明の「利用者端末装置」の「特典提供装置から送信される特典データと，特典提供装置から送信される番組データとを受信する受信部」と「番組データ送信装置から送信される番組データを受信する受信部」として共通し，
（へ）解答に住所，氏名等の解答者を特定する情報を付すことは当然のことであり，クイズ番組のクイズに解答者を特定する情報を付した解答をよせることは当該クイズに参加することを表明しているともいえるから，引用発明の「解答データ」は，本願発明の「参加データ」に相当し，
（ト）引用発明の「受信機」の「視聴者の操作にしたがって，クイズ番組のクイズの解答データを生成」する機能は，本願発明の「利用者端末装置」の「参加時間と特典内容が紐付けられた特典データに基づき，番組が提供されている時間内において，利用者から参加入力された参加時間に応じて，参加データを生成する参加処理部」と「参加データを生成する参加処理部」として共通し，
（チ）引用発明の「受信機」の「解答データを放送局に送信」する機能は，本願発明の「利用者端末装置」の「送信部」に相当し，
（リ）引用発明の「放送局」の「解答データを受信」する機能は，本願発明の「特典提供装置」の「受信部」に相当し，
（ヌ）引用発明の「インタラクティブなシステム」は，本願発明の「インタラクティブ特典提供システム」と「インタラクティブなシステム」として共通している。
　
　したがって，両者は，
　「利用者端末装置と，番組データを前記利用者端末装置に送信する番組データ送信装置とが通信路により接続されるインタラクティブなシステムにおいて：
　前記利用者端末装置は，受信部と参加処理部と送信部とを備え，
　前記受信部は，前記番組データ送信装置から送信される番組データを受信し；
　前記参加処理部は，参加データを生成し；
　前記送信部は，前記参加処理部により生成された前記参加データを前記番組データ送信装置に送信し；
　前記番組データ送信装置は，受信部を備え，
　前記受信部は，前記利用者端末装置から前記参加データを受信することを特徴とする，
インタラクティブなシステム。」
である点で一致し，以下の点で相違している。
［相違点１］
　本願発明は，通信路が，ネットワークであるのに対して，引用発明は，そうではない点。
［相違点２］
　本願発明は，番組データ送信装置が特典提供装置であり，番組データが時間軸に応じて変動する特典内容を含む告知データを含み，利用者端末装置の受信部が特典提供装置から送信される特典データも受信し，利用者端末装置の参加処理部が，参加時間と特典内容が紐付けられた前記特典データに基づき，番組が提供されている時間内において，利用者から参加入力された参加時間に応じて，参加データを生成し，特典提供装置の備える結果処理部が前記参加データと特典の利用が可能な有効期間情報とを紐付けた結果データを生成する，インタラクティブ特典提供システムであるのに対して，引用発明は，そうではない点。
［相違点３］
　本願発明は，利用者端末装置と特典提供装置とに商品提供装置がネットワークにより接続され，前記商品提供装置が特典データ生成部と送信部とを備え，前記特典データ生成部が，告知データに対応して，利用者から参加入力される参加時間に応じて特典内容が変動するよう，参加時間と特典内容が紐付けられた特典データを生成し，前記送信部が前記特典データ生成部により生成された前記特典データを前記特典提供装置に送信するのに対して，引用発明は，そうではない点。
　
５　判断
　［相違点１］について検討する。
　例えば引用例２に「インターネットにおける情報配信」と記載されているように，通信路にネットワークを用いることが周知のことであるから，引用発明において，通信路をネットワークとすることは，当業者が格別に思考することなくなし得たことである。
　［相違点２］について検討する。
　放送番組において視聴者にクイズを出題した場合に正解をよせた視聴者を対象に特典を与えることが慣用されていて，人間が行う処理を機械が行うようにすることは当業者が当然に考えることであり，引用例２に，情報提供装置が利用者端末装置に配信するユーザ参加型の双方向コンテンツである「早押しクイズ」などのコンテンツにおいて，開始時刻から解答時刻までの解答時間の長短によって正解した参加者に与える特典内容を変えることが記載されており，また，参加者に特典を与えるイベントを催すときに特典内容を予め告知することが例示するまでもなく周知のことであるから，引用発明において，番組データ送信装置を特典提供装置とし，番組データに時間軸に応じて変動する特典内容を含む告知データを含ませ，利用者端末装置の受信部に特典提供装置から送信される特典データも受信させ，利用者端末装置の参加処理部が，参加データを生成するのに，参加時間と特典内容が紐付けられた前記特典データに基づき，番組が提供されている時間内において，利用者から参加入力された参加時間に応じて，参加データを生成するようにし，特典提供装置が正解をよせた利用者を対象に参加データと紐付けられた特典内容の特典を与える，インタラクティブ特典提供システムとすることは，当業者が容易になし得たことである。
　そして，利用者に特典を与えるのに，特典を記述する結果データを生成することは当業者が当然に考えることであり，また，例えば周知例にみられるように，利用者に与える特典に有効期限を設定することも周知のことであるから，さらに，特典提供装置に参加データと特典の利用が可能な有効期間情報とを紐付けた結果データを生成する結果処理部を設けるようにすることも，当業者が格別に思考することなくなし得たことである。
　［相違点３］について検討する。
　引用発明において，［相違点２］について検討したとおり，番組データ送信装置を特典提供装置とし，番組データに時間軸に応じて変動する特典内容を含む告知データを含ませ，利用者端末装置の受信部に特典提供装置から送信される特典データも受信させ，利用者端末の参加処理部が，参加データを生成するのに，参加時間と特典内容が紐付けられた前記特典データに基づき，番組が提供されている時間内において，利用者から参加入力された参加時間に応じて，参加データを生成するようにし，特典提供装置が正解をよせた視聴者を対象に参加データと紐付けられた特典内容の特典を与えるようにすることは，当業者が容易になし得たことである。
　その際に，番組のスポンサー企業が番組に用いる商品を提供することが例示するまでもなく周知のことであり，どのような商品を用いるか等の番組内容に番組のスポンサー企業の意向を取り入れることは当業者が当然に考えることであり，また，企業が関与するイベントに参加した利用者を対象に販売促進活動をすることも例示するまでもなく周知のことであるから，番組に関与する企業が特典に係る商品の提供主となり特典内容を指定しさらに利用者を対象に販売促進活動をするべく，商品提供装置を設け，利用者端末装置と特典提供装置とに商品提供装置をネットワークにより接続し，商品提供装置の特典データ生成部が，告知データに対応して，利用者から参加入力される参加時間に応じて特典内容が変動するよう，参加時間と特典内容が紐付けられた特典データを生成し，商品提供装置の送信部が特典データ生成部により生成された特典データを特典提供装置に送信するようにして，本願発明のようにすることは，当業者が格別に思考することなく想到し得たことである。
　
　そして，本願発明の効果も，引用発明，引用例２に記載された事項及び周知の事項の効果から，当業者が容易に予測し得た程度のものである。
　
　したがって，本願発明は，引用発明，引用例２に記載された事項及び周知の事項に基いて，当業者が容易に発明をすることができたものと認められる。
　
６　むすび
　以上のとおり，本願発明は，引用発明，引用例２に記載された事項及び周知の事項に基いて，当業者が容易に発明をすることができたものであるから，特許法第２９条第２項の規定により特許を受けることができない。
　よって，結論のとおり審決する。